(57)【要約】【課題】  シンプルな構造で、載置された鍋類などの転倒を防止することができ、特に使用時の安全性と使い勝手に優れた五徳を提供する。【解決手段】  五徳本体１２の輪部１３の複数箇所より立ち上がる支持脚１４ａと鍋類１１を載せる爪部１５とに対して、上記支持脚１４にピンなどの固着手段１６を介して可動可能な鍋方向の縦受け片１７を固着すると共に、上記鍋方向の縦受け片１７の先端部には鍋類１１の側面に押し当てられる鍋方向の横受け押え片１８を形成する。【選択図】図１
2009024988.tif 000002
【特許請求の範囲】
【請求項１】
ガスこんろ上に載置される五徳において、
五徳本体の輪部の複数箇所より立ち上がる支持脚と鍋類を載せる爪部とに対し、上記支持脚にピンなどの固着手段を介して可動可能な鍋方向の縦受け片を固着すると共に、上記鍋方向の縦受け片の先端部には鍋類の側面に押し当てられる鍋方向の横受け押え片を形成したことを特徴とする五徳。
【請求項２】
鍋方向の縦受け片の先端部に配置される鍋方向の横受け押え片は、鍋類の横方向に合わせた湾曲形状とされていることを特徴とする請求項１記載の五徳。
【発明の詳細な説明】
【技術分野】
【０００１】  この発明は、シンプルな構造で、載置された鍋類などの転倒を防止することができ、特に使用時の安全性と使い勝手に優れた五徳に関する。
【背景技術】
【０００２】  従来、ガスこんろ（図示略）等に用いられる五徳は、図４に示すように、輪部１の複数箇所より立ち上がった支持脚２と、その支持脚２より水平状に横設された爪部３とにより構成されており、載置された鍋類などを水平状に横設された爪部３に安定的に載せるようにしている。【０００３】  しかしながら、従来の五徳は、鍋類の底の形状が種々の形状をしているため、安定して載置することが難しく、調理作業に際して危険を伴うという問題が指摘されている。このため、鍋類を載せる爪部３を、鍋類の種々の形状に合わせて可変することができるようなものが提案なされていた。
【発明の開示】
【発明が解決しようとする課題】
【０００４】  例えば、特許文献１に示すようなものは、鍋等の底を支持する複数の爪部を、台枠に起立した複数の支持脚にピンで固着可能に枢着した構成とされている。【０００５】  また、特許文献２に示すようなものは、五徳の爪部に二段式の内外ガイドからなるセンタリング・ポジショナー機構を装着することにより、特大サイズを除く色々のサイズ、形の鍋類の底がガイド機構中のバネ起し作用で常に火炎口の中心に寄せて置けるように構成している。【０００６】  さらに、特許文献３に示すものは、縦揺れの地震時にも鍋類の傾きや転覆を防止できるように、ステンレス製引張りばね等から適宜長さの弾性部材の一側端部に、鍋類調理具の側側面に取付け得る鍋取付部を設け、この弾性部材の他側端部に、五徳に着脱可能に取付け得る五徳取付部を設けた鍋類固定具を形成した構成とされている。【０００７】  しかしながら、これら従来の五徳は、鍋類を複数の支持脚にピンを介して枢着可能に取り付けた爪部で支えるだけのものであり、鍋類の特に横揺れなどを効果的に防止することができなかった。【０００８】  また、鍋類の縦揺れや横揺れなどの防止を図るものもあるが、比較的シンプルな構成で、且つ、鍋類の底の形状が種々の形状をしていたとしても、安定して載置することができるものではなかった。【０００９】
【特許文献１】特開平８−２４７４８７公報
【００１０】
【特許文献２】実用新案登録第３０３６７７９公報
【００１１】
【特許文献３】特開２０００−２７１０２１公報
【００１２】  この発明は、上記のような目的を達成するために、一般人であっても身障者などのように調理作業に支障をきたすような場合であっても、きわめてシンプルな構成で、且つ、特に鍋類の横揺れを防止することができ、使用時の安全性と使い勝手に優れた調理作業を行える五徳を提供することにある。
【課題を解決するための手段】
【００１３】  この発明は、上記のような目的を達成するために、請求項１記載のように、ガスこんろ上に載置される五徳において、五徳本体の輪部の複数箇所より立ち上がる支持脚と鍋類を載せる爪部とに対し、上記支持脚にピンなどの固着手段を介して可動可能な鍋方向の縦受け片を固着すると共に、上記鍋方向の縦受け片の先端部には鍋類の側面に押し当てられる鍋方向の横受け押え片を形成したことを特徴とする。また、請求項２記載のように、鍋方向の縦受け片の先端部に配置される鍋方向の横受け押え片は、鍋類の横方向に合わせた湾曲形状とされていることを特徴とする。
【発明の効果】
【００１４】  この発明によれば、支持脚にピンなどの固着手段を介して可動可能な鍋方向の縦受け片を固着すると共に、縦受け片の先端部に鍋類の側面に押し当てられる鍋方向の横受け押え片を形成したので、鍋類に対する縦方向の揺れのみならず横方向の揺れも防止することができ、一般人であっても身障者などのように調理作業に支障をきたすような場合であっても、きわめてシンプルな構成で、且つ、特に鍋類の横揺れを防止することができ、使用時の安全性と使い勝手に優れた調理作業を行うことができる。
【発明を実施するための最良の形態】
【００１５】  以下、この発明の実施例を図面に基づき詳細に説明する。図１は、鍋類を載置した状態の使用例を示す説明図、図２は、鍋方向の縦受け片と鍋方向の横受け押え片と支持脚との固定状態を示す説明図、図３は、鍋方向の横受け押え片の湾曲状態を示す断面図、図４は、従来の五徳を示す説明図である。【００１６】  図１に示すように、ガスバーナー（図示略）を有するガスこんろ１０の上面には、鍋類１１が五徳本体１２を介して載置される。五徳本体１２は、ガスこんろ１０の上面のガスバーナーを囲むように載置される輪部１３と、この輪部１３より立ち上がった複数箇所の支持脚１４とよりなると共に、各支持脚１４の先端には鍋類１１を載せる水平状の爪部１５が横設されている。【００１７】  また、各支持脚１４からは、支持脚１４に固着手段１６を介して可動可能な鍋方向の縦受け片１７が固着されており、その先端側には、鍋方向の横受け押え片１８が鍋類１１の側部を押えるように横設されている。【００１８】  複数箇所の支持脚１４と水平状の爪部１５は、鍋類１１などを安定的に載置せるものであるが、この支持脚１４より立ち上がる鍋方向の縦受け片は１７は、鍋類１１などの縦方向の側部を支持する。また、鍋方向の縦受け片は１７の先端部に設けられる横受け押え片１８は、鍋類１１などの横方向の揺れを防止する。【００１９】  このように、この五徳の各構成部材は、熱に強い金属部材ならばよいが、さらに熱に強いその他の部材でもよい。特に、鍋類１１などの横方向の揺れを防止するために、鍋方向の縦受け片１７は、先端部の横受け押え片１８が種々の鍋類の形状に合わすべく形状記憶合金により形成してもよい。【００２０】  この実施例に係る五徳によれば、このように支持脚にピンなどの固着手段を介して可動可能な鍋方向の縦受け片を固着すると共に、縦受け片の先端部に鍋類の側面に押し当てられる鍋方向の横受け押え片を形成したので、鍋類に対する縦方向の揺れのみならず横方向の揺れも防止することができ、一般人であっても身障者などのように調理作業に支障をきたすような場合であっても、きわめてシンプルな構成で、且つ、特に鍋類の横揺れを防止することができ、使用時の安全性と使い勝手に優れた調理作業を行うことができる。
【図面の簡単な説明】
【００２１】
【図１】  鍋類を載置した状態の使用例を示す説明図である。
【図２】  鍋方向の縦受け片と鍋方向の横受け押え片と支持脚との固定状態を示す説明図である。
【図３】  鍋方向の横受け押え片の湾曲状態を示す断面図である。
【符号の説明】
【００２２】１０      ガスこんろ
１１      鍋類
１２      五徳本体
１３      輪部
１４      支持脚
１５      爪部
１６      固着手段
１７      鍋方向の縦受け片
１８      鍋方向の横受け押え片
【図１】
2009024988.tif 000003
【図２】
2009024988.tif 000004
【図３】
2009024988.tif 000005
【図４】
2009024988.tif 000006
【手続補正書】
【提出日】平成19年10月3日(2007.10.3)
【手続補正１】
【補正対象書類名】明細書
【補正対象項目名】００２１
【補正方法】変更
【補正の内容】
【００２１】
【図１】鍋類を載置した状態の使用例を示す説明図である。
【図２】鍋方向の縦受け片と鍋方向の横受け押え片と支持脚との固定状態を示す説明図である。
【図３】鍋方向の横受け押え片の湾曲状態を示す断面図である。
【図４】従来の五徳を示す側面図である。